【手続補正書】
【提出日】平成20年5月21日(2008.5.21)
【手続補正１】
【補正対象書類名】明細書
【補正対象項目名】特許請求の範囲
【補正方法】変更
【補正の内容】
【特許請求の範囲】
【請求項１】  回転可能な駆動軸を有する手動もしくは動力式の駆動装置とともに使用するチャックであって、
先端部および後端部を有し、前記後端部が前記駆動装置とともに回転するように構成され、前記先端部は内部に形成された軸孔を有する概ね円柱形状の本体と、
前記軸孔に連絡して前記本体に対して移動可能に配置された複数のジョーと、
前記ジョーと有効に連結して前記本体に回動可能に取りつけられたスリーブであって、前記スリーブの閉じ方向の回転が前記ジョーを前記軸孔の軸に近づけるように移動させ、前記スリーブの開き方向の回転が前記ジョーを前記軸孔から離れるように移動させるスリーブと、
前記本体に隣接した第一のレース、前記スリーブに隣接した第二のレース及び前記第一のレースと前記第二のレースの間に配置された少なくとも一のベアリング要素を有するベアリングであって、前記第一のレースと前記第二のレースの一方がラチェットを形成し、前記第一のレースと前記第二のレースの他方が前記ラチェットに対して偏倚された爪を形成し、前記ラチェットと前記爪は、前記爪が前記ラチェットと係合するときに、前記ラチェット及び爪が前記第二のレースの前記第一のレースに対する前記開き方向の回転を妨げるように構成されているベアリングとを備えることを特徴とするチャック。
【請求項２】  前記スリーブは、第一のスリーブと第二のスリーブを含み、前記第一のスリーブは、前記第二のスリーブを回転的に駆動するが、第一の位置と第二の位置の間で前記第二のスリーブに対して移動可能であることを特徴とする請求項１に記載のチャック。
【請求項３】  前記第一のスリーブは前記爪に対して配置されたカム面を形成し、前記カム面は、前記第一のスリーブが前記第二のスリーブに対して前記第一の位置にあるときに前記爪を前記ラチェットから外し、前記第一のスリーブが前記第二のスリーブに対して前記第二の位置にあるときに、前記爪を前記ラチェットに係合させるべく解放することを特徴とする請求項２に記載のチャック。
【請求項４】  前記スリーブは前記ジョーのねじと係合するよう形成されたねじを有する環状のナットであり、前記本体についての前記ナットの回転が、前記ジョーを前記軸に近づけたり離したりするように移動させることを特徴とする請求項１に記載のチャック。
【請求項５】  前記爪は可撓性があり、前記爪及び前記ラチェットは、前記爪が前記ラチェットと係合するとき、前記爪及びラチェットが、前記第二のレースの前記第一のレースに対する前記閉じ方向の回転を許容するが、前記第二のレースの前記第一のレースに対する前記開き方向の回転を妨げるように構成されていることを特徴とする請求項４に記載のチャック。
【請求項６】  前記ナットと有効に連結している外側スリーブを含み、前記外側スリーブは、前記ナットを回転的に駆動するが、第一の回転位置と第二の回転位置との間で前記ナットに対して回動可能であり、前記外側スリーブは前記爪に対して配置されたカム面を形成し、前記カム面は、前記外側スリーブが前記ナットに対して前記第一の位置にあるときに前記爪を前記ラチェットから外し、前記外側スリーブが前記ナットに対して前記第二の位置にあるときに、前記爪を前記ラチェットに係合させるべく解放することを特徴とする請求項４に記載のチャック。
【請求項７】  回転可能な駆動軸を有する手動もしくは動力式の駆動装置とともに使用するチャックであって、
先端部および後端部を有し、前記後端部が前記駆動装置とともに回転するように構成され、前記先端部は内部に形成された軸孔及び前記軸孔と交差する複数の通路を有する概ね円柱形状の本体と、
前記通路内で移動可能に配置された複数のジョーと、
前記本体に回動可能に取りつけられた概ね円柱形状のスリーブと、
前記ジョーと有効に連結して前記本体に回動可能に取りつけられたナットであって、前記ナットの閉じ方向の回転が前記ジョーを前記軸孔の軸に近づけるように移動させ、前記ナットの開き方向の回転が前記ジョーを前記軸孔から離れるように移動させるナットと、
前記本体に隣接した第一のレース、前記ナットに隣接した第二のレース及び前記第一のレースと前記第二のレースの間に配置された複数のベアリング要素を有するベアリングであって、前記第一のレースがラチェットを形成し、前記第二のレースが前記ラチェットに対して偏倚された可撓性のある第一の爪を形成し、前記ラチェットと前記第一の爪は、前記第一の爪が前記ラチェットと係合するとき、前記ラチェット及び第一の爪が、前記第二のレースの前記第一のレースに対する前記閉じ方向の回転を許容するが、前記第二のレースの前記第一のレースに対する前記開き方向の回転を妨げるように構成されているベアリングとを備え、
前記スリーブは前記ナットと有効に連絡しており、前記スリーブは、前記ナットを回転的に駆動するが、第一の回転位置と第二の回転位置との間で前記ナットに対して回動可能であり、
前記スリーブは前記第一の爪に対して配置されたカム面を形成し、前記カム面は、前記スリーブが前記ナットに対して前記第一の位置にあるときに前記第一の爪を前記ラチェットから外し、前記スリーブが前記ナットに対して前記第二の位置にあるときに、前記第一の爪を前記ラチェットに係合させるべく解放することを特徴とするチャック。
【請求項８】  前記第二のレースが前記本体に回動可能に固定されていることを特徴とする請求項７に記載のチャック。
【請求項９】  前記第二のレースは、そこから延在し前記本体の対応する溝に受け入れられる複数のタブを含んでいることを特徴とする請求項８に記載のチャック。
【請求項１０】  前記第一のレースが、前記ナットに回動可能に固定されていることを特徴とする請求項７に記載のチャック。
【請求項１１】  前記第一のレースは、そこから延在し前記ナットの対応する溝に受け入れられるドグを含んでいることを特徴とする請求項１０に記載のチャック。
【請求項１２】  前記スリーブは、前記第一のレースを通じて前記ナットを回転的に駆動することを特徴とする請求項１０に記載のチャック。
【請求項１３】  前記第一のレースは、第二の可撓性のある爪を含み、前記第二の爪は前記スリーブの内周面に対して偏倚されており、前記内周面は前記第一のレースに対して配置された二つの凹部を形成し、前記スリーブが前記第一の位置にあるときに前記第二の爪が前記第一の凹部によって受け入れられ、前記スリーブが前記第二の位置にあるときに前記第二の爪が前記第二の凹部によって受け入れられることを特徴とする請求項１２に記載のチャック。
【請求項１４】  前記内周面は前記カム面及び前記カム面に隣接して前記第一の爪に対して配置された第三の凹部を形成し、前記スリーブが前記第一の位置にあるときに前記第一の爪が前記カム面に係合し、前記スリーブが前記第二の位置にあるときに前記第一の爪が前記第三の凹部によって受け入れられることを特徴とする請求項１３に記載のチャック。
【請求項１５】  前記スリーブの前記内周面は前記カム面及び前記カム面に隣接して前記第一の爪に対して配置された凹部を形成し、前記スリーブが前記第一の位置にあるときに前記第一の爪が前記カム面に係合し、前記スリーブが前記第二の位置にあるときに前記第一の爪が前記凹部に受け入れられることを特徴とする請求項７に記載のチャック。
【請求項１６】  複数の前記第一の爪及び対応する複数の前記カム面を含んでいることを特徴とする請求項７に記載のチャック。
【請求項１７】  回転可能な駆動軸を有する手動もしくは動力式の駆動装置とともに使用するチャックであって、
先端部および後端部を有し、前記後端部が前記駆動装置とともに回転するように構成され、前記先端部は内部に形成された軸孔及び前記軸孔と交差する複数の通路を有する概ね円柱形状の本体と、
前記通路内で移動可能に配置された複数のジョーと、
前記本体に回動可能に取りつけられた概ね円柱形状のスリーブと、
前記ジョーと有効に連絡して前記本体に回動可能に取りつけられたナットであって、前記ナットの閉じ方向の回転が前記ジョーを前記軸孔の軸に近づけるように移動させ、前記ナットの開き方向の回転が前記ジョーを前記軸孔から離れるように移動させるナットと、
前記本体に回動可能に固定された第一のレース、前記ナットに回動可能に固定された第二のレース及び前記第一のレースと前記第二のレースの間に配置された複数のベアリング要素を有するベアリングであって、前記第一のレースがラチェットを形成し、前記第二のレースが前記ラチェットに対して偏倚された可撓性のある第一の爪を形成し、前記ラチェットと前記第一の爪は、前記第一の爪が前記ラチェットと係合するときに、前記ラチェット及び第一の爪は、前記第二のレースの前記第一のレースに対する前記閉じ方向の回転を許容するが、前記第二のレースの前記第一のレースに対する前記開き方向の回転を妨げるように構成されているベアリングとを備え、
前記スリーブは前記ナットと有効に連絡しており、前記スリーブは、前記ナットを回転的に駆動するが、第一の回転位置と第二の回転位置との間で前記ナットに対して回動可能であり、
前記スリーブは前記第一の爪に対して配置されたカム面を形成し、前記カム面は、前記スリーブが前記ナットに対して前記第一の位置にあるときに前記第一の爪を前記ラチェットから外し、前記スリーブが前記ナットに対して前記第二の位置にあるときに、前記第一の爪を前記ラチェットに係合させるべく解放することを特徴とするチャック。
【請求項１８】  前記第一のレースは、第二の可撓性のある爪を含み、前記第二の爪は前記スリーブの内周面に対して偏倚されており、前記内周面は前記第一のレースに対して配置された二つの凹部を形成し、前記スリーブが前記第一の位置にあるときに前記第二の爪が前記第一の凹部によって受け入れられ、前記スリーブが前記第二の位置にあるときに前記第二の爪が前記第二の凹部によって受け入れられることを特徴とする請求項１７に記載のチャック。
【請求項１９】  複数の前記第一の爪、前記第二の爪、前記カム面及び前記凹部を含んでいることを特徴とする請求項１８に記載のチャック。
【手続補正２】
【補正対象書類名】明細書
【補正対象項目名】００１８
【補正方法】変更
【補正の内容】
【００１８】
前部スリーブ１８は、先端ピース２０の環状ショルダー９１により、軸方向前方への移動が妨げられる。先端ピース後端の円錐形状部９５は、チャック内でのジョー２２の動きを助けている。
【手続補正３】
【補正対象書類名】明細書
【補正対象項目名】００２６
【補正方法】変更
【補正の内容】
【００２６】
以下に述べるように、方向９０は、チャックが閉じる方向に対応し、方向９２はチャックが開く方向に対応する。従って、爪８６がラチェット歯８４と係合するとき、歯は、内側レースがチャックの閉じ方向に回転するのは許容するが、開き方向に回転することを妨げる。
【手続補正４】
【補正対象書類名】明細書
【補正対象項目名】００２９
【補正方法】変更
【補正の内容】
【００２９】
図６は、スリーブ１８がナット１６（図２）に対して、２つの位置のうち第一の位置にあるときの、爪８６及び９４の配置を示している。一方、図５は、スリーブがナットに対して、第二の位置にあるときの配置を示している。説明を簡単にするため、両図ではナットを省略している。図２及び図５に示されるようなスリーブの第二の位置を参照するに、各駆動ドグ６４は受け入れられるギャップ６２の側面１０８の反対側か若しくは隣接して配置される。スリーブの各凹部１０２は、爪９４のタブ９８を受け入れ、各凹部１０４は、爪８６のタブ９６を受け入れる。従って、各爪８６の末端部８８はラチェット歯８４と係合し、内側レース７２は、外側レース７８に対して、方向９０のみに回動可能となる。
【手続補正５】
【補正対象書類名】明細書
【補正対象項目名】００３０
【補正方法】変更
【補正の内容】
【００３０】
図６を参照するに、矢１０８によって示されるように、内側レース７２が外側レースに対して閉じ方向９０に移動するとき、各タブ９８は凹部１０２から出て、凹部１００に移動する。各タブ９６は、矢１１０によって示されるように、凹部１０４から出て、カム面１０６に乗り上げる。矢１１２によって示されるように、これは可撓性のある各タブ８６を内側半径方向に押し動かすので、末端部８８がラチェット歯８４から外れる。こうして、内側レースは外側レースに対して自在に回転する。
【手続補正６】
【補正対象書類名】明細書
【補正対象項目名】００３２
【補正方法】変更
【補正の内容】
【００３２】
図２、３、５及び６を参照するに、動作時は、チャックが十分な開き位置と十分な閉じ位置の間にあるとき、駆動ドグが溝側面１１０に隣接するように、ナット溝６２は駆動ドグ６４を受け入れる。内側レース７２は、タブ９６及び９８が、それぞれカム面１０６及び凹部１００に受け入れられるよう、外側レース７８に対して配置される。すなわち、スリーブ１８は、ナットに対して第一の位置にある。この状態で、タブ９８及び凹部１００は、内側レース７２をスリーブ１８に回動可能に固定する。内側レース７２は、タブ７０及び平面６８により、ナット１６に回動可能に固定されるので、操作者がスリーブ１８を回転させると、内側レース７２を通してナットが回転し、これによりジョーが開閉する。操作者が、スリーブ／ベアリング内側レース／ナットを、ジョーが工具シャンクを締めつけるまで閉じ方向（図３の矢９０に示される）に回転させるとき、ナットは後部上方のジョーねじに押し付けられるので、ナットを内側レース７２、ベアリング要素７６、外側レース７８及びスラストリング４６に押しつける。この後方に押し付ける力は、ナット及び内側レース７２とを摩擦ロックさせるので、いっそう両要素を回動可能に固定する。
【手続補正７】
【補正対象書類名】明細書
【補正対象項目名】００３３
【補正方法】変更
【補正の内容】
【００３３】
ナットねじとジョーねじとの間のウェッジは、ナットの回転に対する抵抗を増大させる。操作者が、引き続きスリーブ１８を回転させるとき、抵抗力がタブ９８と凹部１００の保持力に打ち勝ち、スリーブ１８がナット１６及び内側ベアリングレース７２に対して回転する。これにより、駆動ドグは溝６２の側面１１０から側面１０８に移動し、タブ９８を凹部１００から押し出し、凹部１０２へ押し込む。同時に、カム面１０６は、タブ９６が凹部１０４に入り込むように、回転するので、図５に示されるよう、爪８６の末端部８６がラチェット歯８４と係合する。この時点で、内側レース７２及びナット１６は、外側レース７８及び本体１４にチャックの開き方向に抵抗するよう回転的にロックされる。すなわち、ナットは、チャック本体に対して、開き方向には回転的にロックされる。本体に対するナットの回転は、チャックを開くために必要なので、これは使用中の不注意による開放を防止する。
【手続補正８】
【補正対象書類名】明細書
【補正対象項目名】００３４
【補正方法】変更
【補正の内容】
【００３４】
一方、内側レース７２及びナット１６は、チャックが閉じ方向にあるとき、外側レース７８及び本体１４に対して回転してもよい。
このような回転にあるときは、スリーブ１８は駆動ドグ６４及び内側レース７２を通じてナット１６を、溝側面１０８の方向に駆動する。これは、上述したように、チャックを締め続けることになり、クリック音を発生させて、操作者にチャックが十分に締め付けられた状態にあることを知らせる。
【手続補正９】
【補正対象書類名】明細書
【補正対象項目名】００３５
【補正方法】変更
【補正の内容】
【００３５】
チャックを開くためには、操作者はスリーブ１８を反対方向に回転させる。スリーブ１８はこのトルクをタブ９６及び９８がそれぞれ凹部１０４及び１０２と係合している内側レース７２に伝える。爪８６は、外側レース７８と係合するので、本体に回動可能に固定され、ラチェット歯を通じて、内側レースはスリーブとともには回転できない。従って、開き方向に十分なトルクを加えたとき、スリーブ１８は、内側レース及びナットに対して回転する。これは、タブ９６をカム面１０６上に移動させるので、爪８６がラチェット歯８４から外れる。タブ９８は、凹部１０２から１００へ移動し、駆動ドグ６４は、溝６２の側面１０８から側面１１０へ移動する。こうして、図６に示されるように、スリーブはナットに対して第一の位置に移動し、外側レース及びチャック本体に対して自在に回転する。従って、開き方向へのスリーブ１８のさらなる回転は、ジョー２２をチャック軸から離れるように移動させ、チャックを開かせる。
【手続補正１０】
【補正対象書類名】図面
【補正対象項目名】図２
【補正方法】変更
【補正の内容】
【図２】
2001259907.tif 000001
【手続補正１１】
【補正対象書類名】図面
【補正対象項目名】図５
【補正方法】変更
【補正の内容】
【図５】
2001259907.tif 000002
【手続補正１２】
【補正対象書類名】図面
【補正対象項目名】図６
【補正方法】変更
【補正の内容】
【図６】
2001259907.tif 000003